(57)【要約】【課題】盲キャップとして電子機器ケース内の端子部を取り囲む防水キャップ装着部に装着し、防水に利用することができ、さらに、盲キャップとして利用できるものであっても、電子機器ケースに接続するケーブルに防水キャップを装着する際には、水密的に閉塞されているケーブル挿入用孔を利用してケーブルを挿通し、端子部の防水キャップとして利用することができる。【解決手段】  ケーブル挿入用孔の周囲には、夫々孔縁から孔の中心部に向けて、先細状に突出する弁体多数を相互に僅かな間隙を持たせて配設し、かつ各弁体はケーブル挿入のときには、自由端側から湾曲してケーブルの挿入を可能に弾力性材料で形成してあり、さらに弁体下面相互は、ケーブルの先端で加圧することにより弁体相互が夫々離反するように薄い膜体で相互に連結して、多数の弁体相互間に夫々第１裂け目ができるように形成し、常態においては弁体相互は水密的に閉塞してある。【選択図】    図２
2013016320.tif 000002
【特許請求の範囲】
【請求項１】
中空筒状に形成した筒体の上部には、電子機器ケースにおける防水キャップ装着部に対して水密的な装着を可能にする開口部を備え、
筒体の下部は、漏斗状に細径にして形成し、
筒体下部の下端部には筒体内部に向けてケーブルの挿入を可能にケーブルの外形寸法に対応する内径寸法のケーブル挿入用孔を有するケーブル挿入部を備えさせてある電子機器ケース用防水キャップにおいて、
上記筒体下部の下端部におけるケーブル挿入部のケーブル挿入用孔の周囲には、夫々孔縁から孔の中心部に向けて、先細状に突出する弁体多数を相互に僅かな間隙を持たせて配設し、
かつ、上記各弁体は、ケーブル挿入のときには、自由端側から湾曲してケーブルの挿入を可能に弾力性材料で形成してあり、
さらに、上記多数の弁体の下面相互は、ケーブルの先端で加圧することにより弁体相互が夫々離反するように薄い膜体で相互に連結して、多数の弁体相互間に夫々第１裂け目ができるように形成し、常態においては弁体相互は水密的に閉塞してあることを特徴とする電子機器ケース用防水キャップ。
【請求項２】
中空筒状に形成した筒体の上部には、電子機器ケースにおける防水キャップ装着部に対して水密的な装着を可能にする開口部を備え、
筒体の下部は、漏斗状に細径にして形成し、
筒体下部の下端部には筒体内部に向けてケーブルの挿入を可能にケーブルの外形寸法に対応する内径寸法のケーブル挿入用孔を有するケーブル挿入部を備えさせてある電子機器ケース用防水キャップにおいて、
上記筒体下部の下端部におけるケーブル挿入部のケーブル挿入用孔の周囲には、夫々孔縁から孔の中心部に向けて、先細状に突出する弁体多数を相互に僅かな間隙を持たせて配設し、
かつ、上記各弁体は、ケーブル挿入のときには、自由端側から湾曲してケーブルの挿入を可能に弾力性材料で形成してあり、
さらに、上記多数の弁体の下面相互は、ケーブルの先端で加圧することにより弁体相互が夫々離反するように薄い膜体で相互に連結して、
多数の弁体相互間に夫々第１裂け目ができるように形成し、常態においては弁体相互は水密的に閉塞してあり、
さらに、上記漏斗状に形成してある筒体下部においては、上記多数の弁体の間に夫々形成されている多数の第１裂け目の内、１つ又は２つの第１裂け目の外周側から上記漏斗状に形成してある筒体下部の周壁に向けて、
ケーブルの先端に付されるコネクタで加圧することにより筒体下部の周壁に対して上下方向に長い裂け目が第１裂け目に連続する状態でできるように、薄い膜体で常態においては水密的に形成した第２裂け目を１つ又は２つ以上を備えさせ、
しかも、上記筒体下部の周壁は、第２裂け目が拡張、縮小自在となるように弾力性材料で形成してあることを特徴とする電子機器ケース用防水キャップ。    
【発明の詳細な説明】
【技術分野】
【０００１】
本発明は、電子機器ケース用防水キャップに関し、詳しくは、屋外にて用いられるアンテナ給電部やブースタ等の電子機器に対してケーブルを接続する場所に用いられる電子機器ケース用防水キャップに関する。
【背景技術】
【０００２】
従来より、電子機器ケース用防水キャップは広く知られている。例えばこの種の防水キャップにおいては特許文献１に示されるものがある。
特許文献１においては、同軸ケーブルと防水キャップが装着された電子機器ケースの断面図を図１として示すと共に、次のような構成に関する記載がある。即ち、
「中空筒状に形成した筒体の上部には、電子機器ケースにおける嵌合部に対して水密的な装着を可能にする開口部を備え、下部には、ケーブルを挿通させる透孔を備えさせた電子機器ケース用防水キャップにおいて、上記筒体の内部においては、上記筒体の内周面から中心に向けて張出状となるように環状体を周設し、環状体における中央部の孔径は、挿通させるケーブルの最小外径より小さく形成してあり、上記環状体の材質は、外径の大小異なるケーブルの挿通を弾力的に変形して許容すると共に、ケーブル挿通後は、ケーブルの外周面に対して圧接する弾力性のある材質で形成してある。」
【先行技術文献】
【特許文献】
【０００３】
【特許文献１】特開２００６−３１０２３０公報
【発明の概要】
【発明が解決しようとする課題】
【０００４】
この従来の電子機器ケース用防水キャップでは、筒体の上部に開口部を備え、下部には、ケーブルを挿通させる透孔を備えている構成なので、電子機器ケースの「端子部」に対して同軸ケーブルが接続されていない場合は、「端子部を取り囲む防水キャップ装着部」に対して防水キャップを装着しても、雨水が風にあおられて防水キャップの透孔から電子機器ケースの内部に侵入し、電子機器ケースの「端子部」の防水に利用出来ない問題点がある。従って、上記の防水キャップとは別に、水密的な防水キャップ（盲キャップ）を用意しなければならない煩わしい問題点があった。
そこで、工事人からは盲キャップとしても利用できる防水キャップの提供が望まれていた。
【０００５】
さらに、上記従来の防水キャップの筒体の内部においては、ケーブルの最小外径より小さく形成してある弾力性材料で形成されている環状体が周設されている。
従って、強風であおられた雨水が防水キャップの下側から内部に向けて吹き込んだ場合、環状体の上部に水が溜まり、電子機器ケースの「端子部」に害を与える恐れが生じる問題点があった。
【０００６】
さらに、上記のように「筒体の内部においては、ケーブルの最小外径より小さく形成してある弾力性材料で形成されている 環状体を周設されている」ので、ケーブルの先端に予めケーブルの外径より大きな外径の接栓（同軸コネクタ）を付けてある場合は、同軸コネクタ付きのケーブルを挿通することが出来ない作業上の問題点があった。  そこで、電気工事人からは、同軸コネクタ付きのケーブルでも利用できるような防水キャップの提供が望まれていた。
【０００７】
本件出願の目的は、上記課題を解決するもので、電子機器ケース内部に雨水が浸入するのを防止することができる電子機器ケース用防水キャップを提供しようとするものである。
他の目的は、「盲キャップ」として電子機器ケース内の端子部を取り囲む防水キャップ装着部に装着し、防水に利用することの出来る多用的な電子機器ケース用防水キャップを提供しようとするものである。
他の目的は、盲キャップとして利用できるものであっても、電子機器ケースに接続する同軸ケーブルに防水キャップを装着する際には、水密的に閉塞されているケーブル挿入用孔を利用してケーブルを挿通し、端子部の防水キャップとして利用することができる電子機器ケース用防水キャップを提供しようとするものである。
他の目的は、電子機器ケースの端子部にケーブルを接続して、その外周に防水キャップを装着し終えた状態では強風により、雨水がケーブル挿入用孔の周囲に打ち付けられても、多数の弁体の存在により、雨水の上昇力を弱めて端子部を雨水から守ることのできる電子機器ケース用防水キャップを提供しようとするものである。
他の目的は、強風であおられた雨水が防水キャップの下側から吹き込んだ場合でも、筒体の内部に入り込んだ雨水は滲み出て、電子機器ケースの端子部に害を与える恐れを予め防止できる電子機器ケース用防水キャップを提供しようとするものである。
他の目的は、ケーブルの先端に対して予めコネクタ等のケーブルの外形寸法よりも大きな外形寸法のものが付設されている場合でも、第２裂け目は弾力的に拡張してケーブル挿入用孔よりも大きな寸法のものを通過させることができ、しかも通過させた後は第２裂け目は縮小し、防水キャップの防水効果を大きく損じる恐れのない便利な電子機器ケース用防水キャップを提供しようとするものである。
他の課題、目的及び利点は図面及びそれに関連した以下の説明により容易に明らかになるであろう。
【課題を解決するための手段】
【０００８】
本発明においては、中空筒状に形成した筒体１１の上部には、電子機器ケース１における防水キャップ装着部７に対して水密的な装着を可能にする開口部１３を備え、  筒体１１の下部１２は、漏斗状に細径にして形成し、筒体下部１２の下端部１６には筒体内部11ａに向けてケーブル８の挿入を可能にケーブル８の外形寸法W4に対応する内径寸法のケーブル挿入用孔１８を有するケーブル挿入部１７を備えさせてある電子機器ケース用防水キャップにおいて、  上記筒体下部１２の下端部１６におけるケーブル挿入部１７のケーブル挿入用孔１８の周囲には、夫々孔縁18ａから孔の中心部18ｂに向けて、先細状に突出する弁体２０多数を相互に僅かな間隙２１を持たせて配設し、  かつ、上記各弁体２０は、ケーブル挿入のときには、自由端側20ｂから湾曲してケーブル８の挿入を可能に弾力性材料で形成してあり、  さらに、上記多数の弁体２０の下面20ｃ相互は、ケーブル８の先端８ｅで加圧することにより弁体２０相互が夫々離反するように薄い膜体２２で相互に連結して、多数の弁体２０相互間に夫々第１裂け目２５ができるように形成し、常態においては弁体２０相互は水密的に閉塞したものである。
【０００９】
また好ましくは、中空筒状に形成した筒体１１の上部には、電子機器ケース１における防水キャップ装着部７に対して水密的な装着を可能にする開口部１３を備え、筒体１１の下部１２は、漏斗状に細径にして形成し、筒体下部１２の下端部１６には筒体内部11aに向けてケーブル８の挿入を可能にケーブル８の外形寸法W4に対応する内径寸法のケーブル挿入用孔１８を有するケーブル挿入部１７を備えさせてある電子機器ケース用防水キャップにおいて、上記筒体下部１２の下端部１６におけるケーブル挿入部１７のケーブル挿入用孔１８の周囲には、夫々孔縁18aから孔の中心部18bに向けて、先細状に突出する弁体２０多数を相互に僅かな間隙２１を持たせて配設し、かつ、上記各弁体２０は、ケーブル挿入のときには、自由端部20b側から湾曲してケーブル８の挿入を可能に弾力性材料で形成してあり、さらに、上記多数の弁体２０の下面20c相互は、ケーブル８の先端8eで加圧することにより弁体２０相互が夫々離反するように薄い膜体２２で相互に連結して、多数の弁体２０相互間に夫々第１裂け目２５ができるように形成し、常態においては弁体相互は水密的に閉塞してあり、 さらに、上記漏斗状に形成してある筒体下部１２においては、上記多数の弁体２０の間に夫々形成されている多数の第１裂け目２５の内、１つ又は２つ以上の第１裂け目２５の外周側から上記漏斗状に形成してある筒体下部１２の周壁１５に向けて、ケーブル８の先端８ｅに付されるコネクタ９で加圧することにより筒体下部１２の周壁１５に対して上下方向に長い裂け目が第１裂け目２５に連続する状態でできるように、薄い膜体３１で常態においては水密的に形成した第２裂け目３０を１つ又は２つ以上を備えさせ、しかも、上記筒体下部１２の周壁１５は、第２裂け目３０が拡張、縮小自在となるように弾力性材料で形成してあるものであればよい。
【発明の効果】
【００１０】
以上のように本発明は、中空筒状に形成した筒体１１の上部は、電子機器ケース１の防水キャップ装着部７に水密的な装着を可能にし、筒体下部１２の下端部１６には筒体内部11ａに向けてケーブル８の挿入を可能にケーブル８の外形寸法W4に対応する内径寸法のケーブル挿入用孔１８を備えさせるものであっても、そのケーブル挿入用孔１８には、弁体多数を配設すると共に、弁体２０相互は薄い膜体２２で相互に連結して、ケーブル挿入用孔１８は常態においては水密的に（防水効果があるように）閉塞してあるので、このような防水キャップ１０は、工事人の要望に応えて、「盲キャップ」として電子機器ケース１の「端子部５を取り囲む防水キャップ装着部７」に装着し、防水に利用することの出来る多用的効果がある。
【００１１】
さらに、上記のように、盲キャップ（水密的な防水キャップ）として利用することの出来る構成であっても、下端部１６におけるケーブル挿入部１７の「ケーブル挿入用孔１８」の周囲には、夫々孔縁18ａから孔１８の中心部18ｂに向けて、先細状に突出する弁体２０多数を相互に僅かな間隙２１を持たせて配設し、かつ、上記各弁体２０は、ケーブル８が挿入されるときには、自由端部20ｂ側から湾曲してケーブル８の挿入を可能に弾力性材料で形成してあり、上記多数の弁体２０の下面20ｃ相互は、ケーブル８の先端８ｅで加圧することにより弁体２０相互が夫々離反するように薄い膜体２２で相互に連結して、多数の弁体２０相互に夫々第１裂け目２５ができるように形成してあるので、電子機器ケース１に同軸ケーブル８と防水キャップ１０を装着する際には、防水キャップの「ケーブル挿入用孔１８」に対して、同軸ケーブル８の先端８ｅを刺すことにより、多数の第１裂け目25、25・・25が夫々裂けて、各弁体２０の自由端部20ｂ側が湾曲してケーブル８の挿入を許容する特長があり、このように、上記盲キャップとして利用できる防水キャップの水密的な閉塞部を利用してケーブル８を挿通し、「端子部５」の防水キャップとして、利用することができる使用上の効果がある。
【００１２】
さらに本発明は、電子機器ケース１の「端子部５」にケーブル８を接続して、その外周８ｆに防水キャップ１０を装着し終えた状態では、図５(Ｆ)、図６からも理解できるように、「ケーブル挿入用孔１８」の周囲には、夫々孔縁18ａから孔の中心部に向けて、先細状に突出する弁体２０多数が相互に僅かな間隙２１を持たせて配設され、かつ、上記各弁体２０は、自由端部20ｂ側から弾力的に湾曲して、弁体２０の内面20ｄがケーブル８の外周面８ｆに密着するものであるから、強風により、雨水が「ケーブル挿入用孔１８」の周囲に打ち付けられても、上記多数の弁体２０の存在により、大きな抵抗を受けて、雨水の上昇力を弱めることができ、「端子部５」を雨水から守ることのできる効果がある。
【００１３】
さらに本発明にあっては、「ケーブル挿入用孔１８」の周囲に、先細状に突出する弁体多数を配設して、これらの先端部20ｂの内面20ｄをケーブル８の外周面８ｆに密着させて雨水の上昇力を弱めるようにしたものであっても、 弁体２０相互間には、僅かな間隙２１が存在するものであるから、強風であおられた雨水が防水キャップ１０の下側から吹き込んだ場合でも、筒体１１の内部に入り込んだ雨水は滲み出て、電子機器ケース１の「端子部５」に害を与える恐れを予め防止できる効果がある。
【００１４】
さらに本発明にあっては、筒体下部１２の下端部１６に備えさせたケーブル挿入用孔１８の内径寸法W2は、ケーブル８の外形寸法W4に対応する寸法にしてあるものであっても、ケーブル８の先端８ｅに対して予めコネクタ等のケーブル８の外形寸法よりも大きな外形寸法のものが付設されている場合は、その大きな寸法のものを、上記小寸法のケーブル挿入用孔１８に押し込むことにより、第１裂け目２５が開くと共に、第１裂け目２５の外周側から漏斗状に形成してある筒体下部１２の周壁１５に向けて形成されている第２裂け目３０が弾力的に拡張し、上記小寸法のケーブル挿入用孔１８よりも大きな寸法のものを通過させ得る利用上の効果がある。しかもこの場合漏斗状に形成してある筒体下部１２の周壁１５は弾力性を備えるので、第２裂け目３０は縮小し、防水キャップの防水効果を大きく損じる恐れはなく、便利な防水キャップとして利用できる効果がある。
【図面の簡単な説明】
【００１５】
【図１】使用状態の電子機器ケースの概略断面図
【図２】防水キャップの外観及び内部構造を説明するための図で、（Ａ）は正面から見た外観図、（Ｂ）は（Ａ）のＢ−Ｂ線断面図、（Ｃ）は側面から見た外観図、（Ｄ）は（Ｃ）のＤ−Ｄ線断面図。
【図３】（Ａ）は図２（Ｂ）の符号IIIAで示される部分の拡大断面図、（Ｂ）は（Ａ）のIIIB−IIIB線断面図。
【図４】（Ａ）は図２（Ｄ）の符号IVAで示される部分の拡大断面図、（Ｂ）は（Ａ）の符号IVB方向から見た外観図。
【図５】防水キャップ１０に対してケーブル８を挿入する実施例を説明する為の一部破断して示す概略図で、防水キャップの破断位置は図２（Ａ）のＢ−Ｂ線位置。なお、電子機器ケース内の端子部、キャップ装着部等を図示省略。
【図６】（Ａ）は図５（Ｂ）のVIA矢視方向から見た概略拡大図、（Ｂ）は図５（Ｃ）のVIB矢視方向から見た概略拡大図、（Ｃ）は図５（Ｆ）の状態の防水キャップを説明する為の概略外観図、（Ｄ）は（Ｃ）のVI−VI線断面図。
【図７】防水キャップに対して先端にコネクターが付されているケーブルを挿入する実施例を説明する為の一部破断して示す概略図で、防水キャップの破断位置は図２（Ｃ）のＢ−Ｂ線位置。なお、電子機器ケース内の端子部、キャップ装着部等を図示省略。
【発明を実施するための形態】
【００１６】
以下本発明の実施の形態を図面を用いて説明する。図１は、電子機器ケース１と、電子機器ケース内部の回路要素（図示省略）に連なる端子部５と、防水キャップ装着部７と、端子部５に接続されたケーブル８と、ケーブル８の周囲を取り囲む状態に配置された防水キャップ１０との関連を説明する為の概略断面図を示し、図２は、防水キャップ１０の外観及び内部構造を説明するための外観図と、断面図を示す。図３、図４は筒体１１の下部における周壁１５と、ケーブル挿入部１７における関連部材との関係を説明するための部分の拡大断面図及び外観図を示す。図５、図６は、防水キャップ１０に対してケーブル８を挿入する実施例を説明するための断面図及び外観図を示す。 図７は、防水キャップ１０に対して、先端にコネクター９が付されているケーブル８を挿入する実施例を説明するための断面図を示す。
【００１７】
上記図１に表れている電子機器ケース１としては、屋外にて用いられるアンテナの給電部や、ブースタ等の電子機器が代表的に知られている。これらの電子機器ケース１において、２はケース本体、３は蓋体、４は基盤を表している。５は周知の端子部で、ケース内部の回路要素とケーブルとの接続を司るもので、ねじ止め式、或いは接栓座を用いる構成が知られている。６はケーブル挿通孔、７は周知の防水キャップ装着部、７aは内側筒、７ｂは外側筒を夫々示す。図において８は周知の同軸ケーブルで、８aは中心導体、８ｂは絶縁体、８ｃは外被導体、８ｄは外被、８ｆは外周面を夫々示す。なお、５ａは端子部を配設する場合の予定位置を示し、９は周知のコネクタ（接栓）を示す（図７参照）。
【００１８】
図２に良く表れている電子機器ケース用防水キャップ１０において、中空筒状に形成した筒体１１の上部には、周知のように電子機器ケース１における防水キャップ装着部７に対して水密的な装着を可能にする開口部１３を備えている。  開口部１３の内径W1は内側筒７aの外周に対して弾力的に密着する寸法にしてある。
なお筒体１１の中間部11ｂの内径寸法W2（例えば 15.8 mm前後）は、ケーブル8の先端に付されたコネクタ９を通過可能にコネクタ９の外形寸法（例えば12.5mm前後）よりも大きく設定してある。１４は、外れ防止と、水密状態を形成するために弾力性材料で形成されている鍔片、14ａは先部を示す。
【００１９】
筒体１１の下部１２における周壁１５は、図２〜４に表れているように漏斗状にしてある。即ち、逐次下方が細径になるように形成してある。   また漏斗状の周壁１５の肉厚T2は、筒体中間部11bの肉厚T1（例えば 1.5 mm前後）よりも図３、４に表れているように逐次下方が薄肉になるように形成し、下端部１６に近くなるほど、逐次第２裂け目３０の開閉が比較的軽い力でできるようになっている。
【００２０】
筒体下部１２の周壁１５の下端部１６には、図３に良く表れているように筒体内部空間11aに向けてケーブル８の挿入を可能にするように、ケーブル８の外形寸法W4（例えば５〜８mm前後）に対応する内径寸法W3（例えば 5.4 mm前後）に設定してあるケーブル挿入用孔１８を有するケーブル挿入部１７を備えさせてある。 18ａは拡開自在の弾力性を有する挿入用孔１８の孔縁を示す。
【００２１】
上記筒体下部１２の下端部１６におけるケーブル挿入部１７のケーブル挿入用孔１８の周囲には、夫々孔縁18ａから孔の中心部18bに向けて、先細状に突出する弁体20、20・・・20多数（（例えば４〜８枚位）を相互に僅かな間隙21、21・・・21（ケーブル挿入のときに弁体相互が離反するような間隙、例えば 0.5 mm前後）を持たせて配設してある。
上記各弁体２０は、ケーブル挿入のときには、図５（C）に表れているように、自由端部20ｂ側から湾曲してケーブル８の挿入を可能に、弾力性材料（例えば上記筒体１１及び薄い膜体２２の場合と同様に、エラストマー、塩化ビニール、ＥＰＭ、ポリエチレンゴム、シリコンゴム等の弾力性材料）で一体的に形成してあり、各元部20ａは孔縁18ａに一体化している。
【００２２】
さらに、上記多数の弁体20、20・・・20の各下面20ｃ相互は、図５（B）（C）に表れているようにケーブル８の先端８ｅ（中心導体8a、絶縁体8b、外被導体８c及び外被8d）で加圧することにより弁体20、20・・・20相互が夫々離反するように薄い膜体２２で相互に連結して閉塞してある（薄い膜体２２（例えば厚さ：0.2 mm前後）は、弁体20、20・・・20の各下面20ｃとも、また、筒体下部１２の下端部１６とも一体化している）。このような構成により、多数の弁体２０相互間に夫々第１裂け目25、25・・・25を形成できるように、常態においては弁体20、20・・・20相互は水密的に閉塞してある。
上記多数の弁体相互の離反の程度は、ケーブル８を挿入するとき自由端20b側から弾力的に湾曲してケーブル８の挿通を可能な程度に離反すればよい。
【００２３】
さらに、上記漏斗状に形成してある筒体下部１２においては、図３（B）、図４(B)に表れているように上記多数の弁体20、20・・・20の間に夫々形成されている多数の第１裂け目25、25・・・25の内、１つ又は２つ以上の第１裂け目25、25・・・25の夫々外周側（孔縁18ａの側）から上記漏斗状に形成してある筒体下部の周壁１５に向けて、即ち、放射方向に向けて、ケーブル８の先端８ｅに付されるコネクタ９で、図７に表れているような態様で加圧することにより、筒体下部の周壁１５に対して上下方向（図４(A)においては上下方向）に長い裂け目が接点３２を経由して第１裂け目２５に連続する状態でできるように、薄い膜体３１（例えば厚さ：0.2 mm前後）で常態においては水密的に形成した第２裂け目３０を備えさせてある。
しかも、上記筒体下部１２の周壁１５は、前述したように第２裂け目３０が拡張、縮小自在となるように、比較的上方の肉厚をだんだんと厚くし、かつ弾力性材料で形成してある。なお、図４において第２裂け目３０を挿入用孔１８を中心にして両側に放射状に配設したが、例えば右側の第２裂け目３０はなくてもよい。その場合、挿入用孔１８と第２裂け目３０の周壁材料はコネクタ９が通過可能に弾力性の大きい材料を用いておけばよい。
【００２４】
上記構成の防水キャップ10の使用方法及び使用状態について説明する。
電子機器ケース１に対して盲キャップとして使用する場合、例えば図１の右側に示されるような開放されているケーブル挿通孔６の周囲の防水キャップ装着部７に装着する場合は次の通りである。
図２に示される常態の防水キャップ10を電子機器ケース１の防水キャップ装着部７に対して通常行われるように装着する。
図１に表れる装着状態においては、防水キャップ10における上部の開口部13は、電子機器ケース側の内側筒７ａの外周面に対して水密的に装着される。さらに、防水キャップ１０の筒体下部１２におけるケーブル挿入用孔１８は、水密的に閉塞されているので、雨水が風にあおられた場合でも雨水は電子機器ケース１内に浸入することない。
従って、防水キャップ10を「盲キャップ」として電子機器ケース１の防水キャップ装着部７に装着し、防水に利用することの出来る特長がある。
【００２５】
次に、電子機器ケース１の端子部５にケーブル８を接続して、その外周８ｆに防水キャップ１０を装着する場合は次の通りである。
まず図５(A)に示されるように、ケーブル８を防水キャップ１０の筒体下部１２におけるケーブル挿入用孔１８の下から矢印40方向へ向けて押し進める。すると、図５(B)、図６(A)に示されるようにケーブル挿入用孔１８の薄い膜体２２にケーブル８の中心導体8aが刺さる。引き続きケーブル８を矢印40方向へ押し進める。すると、図５(B)に表れるように、薄い膜体２２はケーブル８の先端８ｅ（絶縁体8b）に加圧され、ケーブル挿入用孔１８の多数の第１裂け目25、25・・25が中心部18ｂから放射状に夫々裂けて各弁体相互は離反し始め、図５(C)、図６(B)に表れるように各弁体２０の自由端部20ｂ側が弾力的に湾曲して、ケーブル８の絶縁体8bの進行を許容する。さらに、ケーブル８を矢印40方向へ押し進めると、絶縁体8b、外被導体8cで加圧されて第１裂け目25がさらに裂けて各弁体相互は元部20ａ近くまで離反し、各弁体２０の自由端部20ｂ側が弾力的に湾曲し、絶縁体8b、外被導体８cの筒体内部11aへの進行を許容し、さらには図５(D)に表れるようにケーブル８の先端（絶縁体8b、外被導体８c及び外被8d）の挿通を許容する。続けて図５(E)のように、ケーブル８の挿通を矢印40方向へ進めて筒体11を貫通させ、さらに、ケーブル８の結線作業がし易い長さが開口部13から突き出るまでケーブル８を挿通させる。
【００２６】
次にケーブル８を電子機器ケース内の端子部５に対して通常のように結線作業する。
次に防水キャップ10を電子機器ケースに対して次のように装着する。
まず、防水キャップ10をケーブル８に沿ってケース本体１側（図５(E)の矢印43方向）へずらし上げる。
このとき、図５（Ｅ）に示される状態の弁体２０は、筒体11が矢印43方向へ移動すると、弁体２０の自由端20ｂが弾力的にケーブル８の外周面８ｆを圧接したまま、元部20ａは矢印43方向へ移動する。さらに、筒体11が矢印43方向へ移動すると、弁体２０は図５(F)、図６(C)(D)に示される状態へと弾力的に変形する。そして、各弁体の内面20ｄが、夫々ケーブル外周面8ｆを弾力的に圧接し密着することになる。
【００２７】
次に、防水キャップ10における上部の開口部13を、電子機器ケース側の内側筒７ａの外周面に対して被せ付け、さらに防水キャップ10を図１に示される位置まで挿入し、弾力的に嵌着させる。筒体11における開口部13が電子機器ケース１の防水キャップ装着部７と水密的に装着される。
このように防水キャップ10を装着した状態では、図５(F)、図６(C)(D)に表れるように、防水キャップ１０の筒体下部１２にあっては、ケーブル挿入用孔１８に配設される多数の各弁体２０内面20ｄは夫々ケーブル８の外周面８ｆに密着し、強風により、雨水がケーブル挿入用孔１８の周囲に打ち付けられても、上記多数の弁体20、20・・・20の存在により、大きな抵抗を受けて、雨水の上昇力を弱めることができ、電子機器ケース内の端子部５を雨水から守ることができる。
【００２８】
さらに上記装着状態では、図６(C)(D)に表れるように 多数の弁体２０相互間には、僅かな間隙２１が存在する。従って、強風であおられた雨水が防水キャップ１０の下側から吹き込んだ場合でも、筒体１１の内部に入り込んだ雨水は滲み出て、電子機器ケース１の「端子部５」に害を与える恐れを予め防止できる。
【００２９】
次に、ケーブル８の先端にコネクター９が付されている場合は次の通りである。
まず図７（Ａ）に示されるように、ケーブル８を防水キャップ１０のケーブル挿入用孔１８の下から矢印40方向へ向けて進める。すると、ケーブル挿入用孔１８の薄い膜体２２にケーブル８の中心導体8aが刺さる。
引き続きケーブル８を矢印40方向へ押し進めると、図７(B)(C)に表れるように、筒体下部１２における周壁１５とケーブル挿入用孔１８の薄い膜体２２は、ケーブル８の先端に付されたコネクタ９に加圧される。すると、ケーブル挿入用孔１８の多数の第１裂け目25、25・・25が夫々中心から放射状に裂けて開くと共に、第２裂け目３０の薄い膜体３１が裂けて、上記第１裂け目２５と連続する第２裂け目３０ができる。そして、上記第２裂け目３０が弾力的に拡張し（がまぐちがパカッと口を開けるように開き）、ケーブル挿入用孔１８よりも大きな外径寸法のコネクタ９の進行を許容する。
続けてケーブル８の挿通を矢印40方向へ進め、コネクタ９がケーブル挿入部１７を通過して筒体内部11ａに進入すると、上記弾力的に拡張した第２裂け目３０は、図７（Ｄ）に表わすように弾力的に縮小し、ケーブル挿入用孔１８の多数の弁体２０の自由端20ｂ側が弾力的に湾曲してケーブル８の外周面８ｆに当接してケーブル８の挿通を許容する。
続けてケーブル８の挿通を矢印40方向へ進めて筒体11を貫通させ、さらに、ケーブル８の結線作業がし易い長さが開口部13から突き出るまでケーブル８を挿通させる。
【００３０】
次にケーブル８の先端に付されたコネクタ９を用いて通常行われるように電子機器ケース内の端子部に対して結線作業する。
次に上記の図５、図６を用いて説明したと同様の考えで、防水キャップ10をケーブル８に沿ってケース本体１側（図７(D)の矢印43方向）へずらし上げ、電子機器ケースの防水キャップ装着部７に対して水密的に装着する。
この装着の過程において、防水キャップ10のケース本体１側（図７(D)の矢印43方向）への移動に伴い、図７（Ｄ）の状態にあった防水キャップ10のケーブル挿入用孔１８においては、図５を用いて説明したと同様に、弁体２０の自由端20ｂが弾力的にケーブル８の外周面８ｆを圧接したまま、元部20ａは矢印43方向へ移動し、図７(E)、図６(C)(D)に示される状態へと弾力的に変形する。多数の弁体２０の内面20ｄが、夫々ケーブル外周面8aを弾力的に圧接し密着することになる。
【００３１】
防水キャップ10を電子機器ケースの防水キャップ装着部７に対して装着した状態では、防水キャップ１０の筒体下部１２の第２裂け目３０は弾力的に縮小しており、ケーブル挿入用孔１８に配設される多数の各弁体２０内面20ｄがケーブル８の外周面８ｆに密着し、強風により、雨水がケーブル挿入用孔１８の周囲に打ち付けられても、上記多数の弁体２０の存在により、大きな抵抗を受けて、雨水の上昇力を弱めることができ、電子機器ケース内の端子部５を雨水から守ることができる。
【符号の説明】
【００３２】
１・・・電子機器ケース、２・・・ケース本体、５・・・端子部、６・・・ケーブル挿通孔、７・・・防水キャップ装着部、７a・・・内側筒、７ｂ・・・外側筒、８・・・同軸ケーブル、８a・・・中心導体、８ｂ・・・絶縁体、８ｃ・・・外被導体、８ｄ・・・外被、８ｅ・・・先端、８ｆ・・・外周面、９・・・コネクタ（接栓）、１０・・・電子機器ケース用防水キャップ、１１・・・筒体、11b・・・中間、11a・・・筒体内部空間、１２・・・下部、１３・・・開口部、 １４・・・鍔片、14ａ・・・先部、１５・・・下部の周壁（漏斗状）、１６・・・下端部、１７・・・ケーブル挿入部、１８・・・ケーブル挿入用孔、18ａ・・・孔縁、２０・・・弁体、20ａ・・・元部、20ｂ・・・自由端部、20ｃ・・・下面、20ｄ・・・内面（当接面）、２１・・・間隙、２２・・・薄い膜体、２５・・・第１裂け目、３０・・・第２裂け目、３１・・・薄い膜体
【図１】
2013016320.tif 000003
【図２】
2013016320.tif 000004
【図３】
2013016320.tif 000005
【図４】
2013016320.tif 000006
【図５】
2013016320.tif 000007
【図６】
2013016320.tif 000008
【図７】
2013016320.tif 000009